(57)【要約】  チャンネル情報を記憶する媒体（５１，５２，５３，５４，５５）からチャンネル情報を読み出す読出部（２２）と、自装置（１１，１２，１３，１４，１５）の個体識別情報を取得する取得部（２３）と、媒体（５１，５２，５３，５４，５５）から読み出したチャンネル情報と、個体識別情報とを、複数のチャンネルを含むコンテンツを出力するコンテンツ出力装置（３）に送信する送信部（２４１）と、コンテンツのうち少なくとも一つのチャンネルを受信する受信部（２４１）と、を備える。
2018173190.tif 000002
【特許請求の範囲】
【請求項１】
チャンネル情報を記憶する媒体から前記チャンネル情報を読み出す読出部と、
自装置の個体識別情報を取得する取得部と、
前記媒体から読み出した前記チャンネル情報と、前記個体識別情報とを、複数のチャンネルを含むコンテンツを出力するコンテンツ出力装置に送信する送信部と、
前記コンテンツのうち少なくとも一つのチャンネルを受信する受信部と、
を備える音響機器。
【請求項２】
前記コンテンツに係る音を出力するスピーカを備え、
前記受信部は無線通信を介して前記コンテンツを受信する請求項１に記載の音響機器。
【請求項３】
前記送信部は、前記チャンネル情報を取得している状態を示す取得情報、または前記チャンネル情報を取得していない状態を示す非取得情報を前記コンテンツ出力装置に送信する請求項１または２に記載の音響機器。
【請求項４】
前記媒体に記憶された前記チャンネル情報を第二の媒体に複製する請求項１から３のいずれかに記載の音響機器。
【請求項５】
請求項１から４のいずれかに記載の音響機器と、
前記コンテンツ出力装置と、
を備え、
前記コンテンツ出力装置は、前記チャンネル情報及び前記個体識別情報に基づいて、前記音響機器に対するチャンネルを割り当てる割当部を有する、
音響システム。
【請求項６】
前記媒体は、前記音響機器に対して着脱可能であり、
前記割当部は、前記音響機器に対する前記媒体からの通信状態によって、該システムを同一のコンテンツを配信するグループに含めるか否かを判断する請求項５に記載の音響システム。
【請求項７】
前記割当部は、同時に複数の前記チャンネルを一つの前記音響機器に割り当てる請求項５または６に記載の音響システム。
【請求項８】
チャンネル情報を記憶する媒体から前記チャンネル情報を読み出し、
自装置の個体識別情報を取得し、
前記媒体から読み出した前記チャンネル情報と、前記個体識別情報とを、複数のチャンネルを含むコンテンツを出力するコンテンツ出力装置に送信し、
前記チャンネル情報及び前記個体識別情報に基づいて、前記音響機器に対するチャンネルを割り当て、
前記コンテンツのうち少なくとも一つのチャンネルを受信するチャンネル配信方法。
【発明の詳細な説明】
【技術分野】
【０００１】
本発明の一実施形態は、簡易にコンテンツのチャンネルを設定する音響機器、音響システム、及びチャンネル配信方法に関する。
【背景技術】
【０００２】
マルチチャンネルオーディオシステムなどでは、複数のスピーカを備える。コンテンツ配信する際には、コンテンツに含まれるチャンネルの各スピーカに対する割り当てが必要となる。このようなチャンネルの割り当てにおいて、ユーザのミスを軽減するために、特許文献１には、接続した複数のスピーカに対して自動的にチャンネルの割り当てを行うチャンネル割り当て装置が開示されている。
【先行技術文献】
【特許文献】
【０００３】
【特許文献１】国際公開２００８／１２６１６１号
【発明の概要】
【発明が解決しようとする課題】
【０００４】
特許文献１のチャンネル割り当て装置においては、マイクが、複数のスピーカから出力された測定音を収音するために設けられている。アンプ装置はマイクが収音した音から自動音場補正処理を行うが、測定には時間がかかり、かつスピーカの位置の割り出しに複数回の測定を行う必要があるため、測定は非常に煩雑なものである。【０００５】
そこで、本発明の目的は、より簡易にチャンネルの割り当てができる音響機器、音響システム、及びチャンネル配信方法を提供することにある。
【課題を解決するための手段】
【０００６】
本発明の一実施形態に係る音響機器は、チャンネル情報を記憶する媒体から前記チャンネル情報を読み出す読出部と、自装置の個体識別情報を取得する取得部と、前記媒体から読み出した前記チャンネル情報と、前記個体識別情報とを、複数のチャンネルを含むコンテンツを出力するコンテンツ出力装置に送信する送信部と、前記コンテンツのうち少なくとも一つのチャンネルを受信する受信部と、を備えることを特徴とする。
【発明の効果】
【０００７】
本発明によれば、マルチチャンネルオーディオシステムあっても、ユーザは、容易に音響機器にチャンネル割り当てることができる。
【図面の簡単な説明】
【０００８】
【図１】図１は、一実施形態に係る音響システムの構成を説明するための概念図である。
【図２】図２は、一実施形態に係る音響機器の構成を示したブロック図である。
【図３】図３は、一実施形態に係るＡＶレシーバの構成を示したブロック図である。
【図４】図４は、音響機器に貼り付けられたＩＣタグのチャンネル情報と該音響機器に割り当てられるコンテンツのチャンネルの一例を示す表である。
【図５】図５（Ａ）及び図５（Ｂ）は、音響システム１０において、コンテンツのチャンネルの割り当ての一例を説明するための図である。
【図６】図６（Ａ）及び図６（Ｂ）は、ＩＣタグにおけるチャンネル情報の複製を説明するための図である。
【図７】図７（Ａ）、図７（Ｂ）、及び図７（Ｃ）は、ＡＶレシーバと、スピーカ及びスピーカとを有線で接続する場合を説明するための図である。
【図８】図８は、複数のＩＣタグをスピーカに貼り付ける場合を説明するための図である。
【図９】図９は、他の一実施形態に係る音響システムの構成を説明するための概念図である。
【図１０】図１０は、音響システムの動作を示すフローチャートである。
【発明を実施するための形態】
【０００９】
図１は、一実施形態に係る音響システム１０の構成を説明するための概念図である。図２は、一実施形態に係る無線スピーカ１１の構成を示したブロック図である。図３は、一実施形態に係るＡＶレシーバ３の構成を示したブロック図である。
【００１０】
図１に示すように、音響システム１０は、ＢＤプレーヤ１、ＡＶレシーバ３、及び複数の音響機器（無線スピーカ１１、無線スピーカ１２、無線スピーカ１３、無線スピーカ１４、及び無線スピーカ１５）を備えている。ＢＤプレーヤ１は、コンテンツを再生する。ＢＤプレーヤ１は再生したコンテンツをＡＶレシーバ３に送信し、同様の機能を有するものであればこれに代えて利用できる。なお、ＢＤプレーヤ１とＡＶレシーバ３とは、有線または無線のいずれによって接続されていてもよい。ＡＶレシーバ３はＢＤプレーヤ１の機能を内蔵していてもよい。
【００１１】
複数の音響機器（無線スピーカ１１、無線スピーカ１２、無線スピーカ１３、無線スピーカ１４、及び無線スピーカ１５）は、それぞれ異なる位置に配置されている。この例では、聴取位置の正面に無線スピーカ１１が配置され、聴取位置の右前方に無線スピーカ１２が配置され、聴取位置の右後方に無線スピーカ１３が配置され、聴取位置の左後方に無線スピーカ１４が配置され、聴取位置の左前方に無線スピーカ１５が配置されている。ＡＶレシーバ３は、接続される無線ルータ、または自装置が有する無線通信機能を介して、無線ＬＡＮを構築する。無線ネットワークを介して、ＡＶレシーバ３には、複数の無線スピーカ１１、無線スピーカ１２、無線スピーカ１３、無線スピーカ１４、及び無線スピーカ１５が接続されている。なお、音響機器の数や配置はユーザの使用状況に応じて適宜変更可能である。
【００１２】
ＡＶレシーバ３は、本発明のコンテンツ出力装置に相当する。ＡＶレシーバ３は、複数のチャンネルを含むコンテンツを出力する。本実施形態において、コンテンツは例えば、マルチチャンネルのオーディオデータが挙げられる。本発明のコンテンツ出力装置は、ＡＶレシーバ３以外にも、例えばＣＰＵやＤＳＰを備えるスピーカ、パーソナルコンピュータ等の情報処理装置により、実現可能である。本発明の複数の音響機器は、レシーバであってもよい。
【００１３】
複数の音響機器（無線スピーカ１１、無線スピーカ１２、無線スピーカ１３、無線スピーカ１４、及び無線スピーカ１５）には、それぞれ本発明の媒体に相当するＩＣタグ５１、ＩＣタグ５２、ＩＣタグ５３、ＩＣタグ５４、及びＩＣタグ５５が貼り付けられている。ＩＣタグ５１、ＩＣタグ５２、ＩＣタグ５３、ＩＣタグ５４、及びＩＣタグ５５は、複数の音響機器（無線スピーカ１１、無線スピーカ１２、無線スピーカ１３、無線スピーカ１４、及び無線スピーカ１５）に着脱可能であり、それぞれ、チャンネル情報を記憶している。
【００１４】
各ＩＣタグに記憶されているチャンネル情報は、この実施形態においては、センタ（Ｃ）チャンネル、右フロント（ＦＲ）チャンネル、右サラウンド（ＳＲ）チャンネル、左サラウンド（ＳＬ）チャンネル、及び左フロント（ＦＬ）チャンネルである。例えば、ＩＣタグ５１は、センタ（Ｃ）のチャンネル情報を記憶している。同様に、ＩＣタグ５２は右フロント（ＦＲ）の、ＩＣタグ５３は右サラウンド（ＳＲ）の、ＩＣタグ５４は左サラウンド（ＳＬ）の、及びＩＣタグ５５は左フロント（ＦＬ）の、チャンネル情報をそれぞれ記憶している。
【００１５】
各ＩＣタグに記憶されているチャンネル情報は、外観上視認できる態様であってもよい。例えば、ＩＣタグは、記憶されているチャンネル情報をＩＣタグの表面に文字として表示する場合等が挙げられる。これにより、ＩＣタグを異なった音響機器に貼り付けた場合などに、ユーザが間違えに気が付きやすく、正しい音響機器に張り替えることができる。
【００１６】
本発明の媒体は、ＩＣタグ以外にも、複数の音響機器（無線スピーカ１１、無線スピーカ１２、無線スピーカ１３、無線スピーカ１４、及び無線スピーカ１５）に着脱可能であり、チャンネル情報を記憶できるものであれば、採用可能である。またここで、着脱可能とは、スピーカとＩＣタグとを近接させている状態とそうでない状態とを示す。また、貼り付けている状態は、スピーカとＩＣタグとを近接させる状態と接着テープなどによってスピーカに直接貼り付ける場合や、スピーカにＩＣタグを支持可能なフォルダを形成しておき、該フォルダにＩＣタグを挿入する場合であってもよい。
【００１７】
次に、音響機器について詳細に説明するが、複数の音響機器（無線スピーカ１１、無線スピーカ１２、無線スピーカ１３、無線スピーカ１４、及び無線スピーカ１５）は同様の構成であるため、主に無線スピーカ１１について説明する。
【００１８】
図２に示すように、無線スピーカ１１は、ＣＰＵ２１、近接通信部２２、通信部２４、ＲＡＭ２５、ＤＳＰ２６、ＲＯＭ２７及びスピーカ２８を備えている。ＣＰＵ２１は、取得部２３を備えている。通信部２４は、送信部２４１及び受信部２４２を備えている。
【００１９】
ＣＰＵ２１は、記憶媒体であるＲＯＭ２７に記憶されているプログラムをＲＡＭ２５に読み出すことで、以下の種々の動作を行なう。
【００２０】
近接通信部２２は、本発明の読出部に相当し、例えばＲＦＩＤ、ＩＲ等の近距離無線通信技術が採用される。不図示の電源から電力が無線スピーカ１１に供給されると、近接通信部２２は、ＩＣタグ５１に記憶されたチャンネル情報をＩＣタグ５１から読み出す。例えば、近接通信部２２は、ＩＣタグ５１に記憶されたセンタ（Ｃ）のチャンネル情報を読み出す。
【００２１】
ＣＰＵ２１は、無線スピーカ１１の個体識別情報を取得する。ＣＰＵ２１のうちの取得部２３が個体識別情報を取得する機能を担っている。個体識別情報は、無線スピーカ１１自体に関する固有の情報である。個体識別情報は、例えば、ＭＡＣアドレス、又は無線スピーカ１１自体の製造番号でもよい。
【００２２】
通信部２４は、例えばWi−Fi（登録商標）規格、Bluetooth（登録商標）規格等の無線信号を入出力する。この通信部２４により、無線スピーカ１１はＡＶレシーバ３との通信が可能となる。
【００２３】
送信部２４１は、ＩＣタグ５１に記憶されたセンタ（Ｃ）のチャンネル情報及び無線スピーカ１１の個体識別情報を受信して、ＡＶレシーバ３に送信する。なお、ＲＡＭ２５は、チャンネル情報を一度記憶した後に読み出すことができる。これにより、使用中に、ＩＣタグ５１に不具合が生じた場合、有効なチャンネル情報が取得できるまで、ＲＡＭ２５に記憶されたチャンネル情報を使用することができる。
【００２４】
受信部２４２は、後に詳細に説明するが、ＡＶレシーバ３からマルチチャンネルのコンテンツのうち少なくとも一つのチャンネルを受信する。スピーカ２８は、ＡＶレシーバ３から受信したコンテンツに係る音を出力する。以下、ＡＶレシーバ３について詳細に説明する。
【００２５】
図３に示すように、ＡＶレシーバ３は、ＣＰＵ３１、コンテンツ入力部３２、ＲＡＭ３３、通信部３４、及びＲＯＭ３５を備えている。ＣＰＵ３１は、割当部３６を備えている。通信部３４は、送信部３４１及び受信部３４２を備えている。
【００２６】
コンテンツ入力部３２は、ＢＤプレーヤ１からコンテンツを入力する。
【００２７】
受信部３４２は、複数の音響機器（無線スピーカ１１、無線スピーカ１２、無線スピーカ１３、無線スピーカ１４、及び無線スピーカ１５）から送信されたチャンネル情報及び個体識別情報を受信する。
【００２８】
ＣＰＵ３１は、ＲＯＭ３５に記憶されているプログラムをＲＡＭ３３に読み出すことで、以下の種々の動作を行なう。
【００２９】
図４は、ＡＶレシーバ３のメモリに記憶される各ＩＣタグのチャンネル情報と各音響機器（無線スピーカ１１、無線スピーカ１２、無線スピーカ１３、無線スピーカ１４、及び無線スピーカ１５）に割り当てられるコンテンツのチャンネルの一例を示す表である。ＣＰＵ３１は、受信部３４２で受信された情報を基に、複数の音響機器（無線スピーカ１１、無線スピーカ１２、無線スピーカ１３、無線スピーカ１４、及び無線スピーカ１５）毎にチャンネルを割り当てる。ＣＰＵ３１のうちの割当部３６がチャンネルを割り当てる機能を担っている。
【００３０】
図４に示すように、無線スピーカ１１は、ＡＶレシーバ３からチャンネルを受信するためのＩＰアドレスを有する。また、無線スピーカ１１は、無線スピーカ１１固有の個体識別情報であるＭＡＣアドレスを有する。ＩＰアドレスとＭＡＣアドレスとは、予め対応付けられ、ＡＶレシーバ３のメモリに記憶されている。無線スピーカ１１にセンタ（Ｃ）のチャンネル情報を有するＩＣタグ５１が貼り付けられると、無線スピーカ１１は、ＩＣタグ５１からチャンネル情報を読み出し、個体識別情報と共にＡＶレシーバ３へ送信する。ＣＰＵ３１は、受信したＭＡＣアドレスに対応する無線スピーカのＩＰアドレスを割り出す。ＣＰＵ３１は、割り出したＩＰアドレスに対して受信したチャンネル情報に基づくチャンネルを割り当てる。このように、ＣＰＵ３１は、無線スピーカ１１にセンタ（Ｃ）に適したチャンネルを割り当てる。同様に、ＣＰＵ３１は、他の無線スピーカ１２〜無線スピーカ１５についてもそれぞれが有する情報に基づいたチャンネルを割り当てる。これにより、複数の音響機器（無線スピーカ１１、無線スピーカ１２、無線スピーカ１３、無線スピーカ１４、及び無線スピーカ１５）にチャンネルを設定することができる。また、ユーザはチャンネルを割り当てる際にチャンネルの設定のためにボタン等を操作する必要がなく、容易にチャンネルを設定することができる。したがって、複数の無線スピーカを配置する場合であっても、複数名で配置の作業を分業することができるため、コンサートホールなどの大規模な会場であっても効率よく配置することができる。
【００３１】
送信部３４１は、複数の音響機器（無線スピーカ１１、無線スピーカ１２、無線スピーカ１３、無線スピーカ１４、及び無線スピーカ１５）毎に割り当てられたチャンネルの信号を、それぞれの無線スピーカに送信する。これにより、各無線スピーカに応じたチャンネルが配信され、各無線スピーカは、配信されたチャンネルに対応するコンテンツに係る音を再生する。図４に示すように、例えば、センタ（Ｃ）のチャンネル情報を有するＩＣタグ５１が貼り付けられている無線スピーカ１１においては、センタ（Ｃ）に適したチャンネルが配信される。無線スピーカ１１が備えるスピーカ２８は、センタ（Ｃ）に適したコンテンツに係る音を再生する。したがって、音響システム１０は、複数の音響機器及び複数のチャンネルを有する場合であっても、コンテンツに含まれたチャンネルを、特定の音響機器に容易に割り当てることができる。
【００３２】
図５（Ａ）及び図５（Ｂ）は、音響システム１０において、コンテンツのチャンネルの割り当ての一例を説明するための図である。
【００３３】
ＩＣタグ５１が無線スピーカ１１に貼り付けられている場合、近接通信部２２は、近接通信部２２がチャンネル情報を取得している状態を示す取得情報を出力する。これに対して、ＩＣタグ５１が無線スピーカ１１に貼り付けられていない場合、またはＩＣタグ５１が存在しているが、無線スピーカ１１が故障しているもしくは存在しない場合、近接通信部２２は、チャンネル情報を取得していない状態を示す非取得情報を出力してもよい。また、ＩＣタグ５１が無線スピーカ１１に貼り付けられているが、ＩＣタグ５１がチャンネル情報を有していない場合、近接通信部２２は非取得情報を出力してもよい。近接通信部２２は、例えば、無線スピーカ１１に電源が供給されて一定の期間、または送信部２４１に無線スピーカ１１の個体識別情報が入力されて一定の期間に近接通信部２２が取得情報を取得しない場合を非取得状態として、非取得情報を出力してもよい。ＣＰＵ２１は、近接通信部２２から取得情報または非取得情報を取得して、通信部２４に送信する。
【００３４】
通信部２４の送信部２４１は、ＡＶレシーバ３へ取得情報または非取得情報を送信する。受信部３４２は、複数の音響機器（無線スピーカ１１、無線スピーカ１２、無線スピーカ１３、無線スピーカ１４、及び無線スピーカ１５）から送信されたチャンネル情報及び個体識別情報を受信する。受信部３４２は、割当部３６へ取得情報または非取得情報を送信する。
【００３５】
割当部３６は、取得情報または非取得情報の取得により、音響システム１０における複数の音響機器（例えば、本実施形態における無線スピーカ１１、無線スピーカ１２、無線スピーカ１３、無線スピーカ１４、及び無線スピーカ１５）からなるグループに含めるか否かを判断してもよい。すなわち、割当部３６は、無線スピーカ１１、無線スピーカ１２、無線スピーカ１３、無線スピーカ１４、及び無線スピーカ１５に対するＩＣタグ５１〜ＩＣタグ５５からの通信状態によって、無線スピーカ１１、無線スピーカ１２、無線スピーカ１３、無線スピーカ１４、及び無線スピーカ１５のいずれを同一のコンテンツを配信するグループに含めるか否かを判断する。
【００３６】
図５（Ａ）に示すように、無線スピーカ１１、無線スピーカ１２、無線スピーカ１３、無線スピーカ１４、及び無線スピーカ１５の全てにＩＣタグ５１〜ＩＣタグ５５がそれぞれ貼り付けられている。この場合、それぞれの無線スピーカはＡＶレシーバ３へ取得情報が送信される。このため、割当部３６は、無線スピーカ１１、無線スピーカ１２、無線スピーカ１３、無線スピーカ１４、及び無線スピーカ１５の全てが同じグループに含まれた状態であると判断する。これに対して、図５（Ｂ）に示すように、無線スピーカ１１にＩＣタグ５１が貼り付けられていない場合、無線スピーカ１１はＡＶレシーバ３へ非取得情報が送信される。
【００３７】
ＡＶレシーバ３の受信部３４２が非取得情報を受信した場合、ＡＶレシーバ３はユーザに警告を発報してもよい。例えば、図５（Ｂ）に示すように、無線スピーカ１１がＩＣタグ５１からチャンネル情報が得られなかった場合、ＡＶレシーバ３は、無線スピーカ１１にチャンネル情報が割り振られていない警告をユーザに与える。ユーザは、無線スピーカ１１にＩＣタグ５１を貼り付けることにより、同一のコンテンツを配信するグループに無線スピーカ１１を補充することができる。これにより、ユーザは、音響システム１０を、同一のコンテンツを再生するのための適切な環境に整え直すことができる。
【００３８】
また、ユーザが同一のコンテンツを配信するグループに含まれる複数の音響機器からＩＣタグを外すことによって、ユーザはコンテンツを再生する環境をユーザの好みに応じて整えることができる。例えば、ユーザが無線スピーカ１１からＩＣタグ５１を外すことにより、ＡＶレシーバ３はユーザに警告を発報する。ユーザは警告を解除する指示を行う。音響システム１０は、同一のコンテンツを配信するグループから無線スピーカ１１を除外する。これにより、無線スピーカ１２、無線スピーカ１３、無線スピーカ１４、及び無線スピーカ１５に、それぞれ右フロント（ＦＲ）チャンネル、右サラウンド（ＳＲ）チャンネル、左サラウンド（ＳＬ）チャンネル、及び左フロント（ＦＬ）チャンネルが配信される。すなわち、音響システム１０は、センタ（Ｃ）のチャンネルが除外された状態でコンテンツを再生する。ユーザは無線スピーカ１１を別の部屋に移動させて、無線スピーカ１１を用いて別のコンテンツに係る音を再生することができる。
【００３９】
図６（Ａ）及び図６（Ｂ）は、ＩＣタグにおけるチャンネル情報の複製を説明するための図である。図６（Ａ）に示すように、ＩＣタグ５２が無線スピーカ１２に貼り付けられている。ユーザはチャンネル情報を保持していないＩＣタグ７１を無線スピーカ１２に貼り付けることにより、ＩＣタグチャンネル情報を複製することができる。詳細に説明すると、ユーザは不図示の携帯端末等の無線で通信できる機器を用いて、無線スピーカ１２にチャンネル情報の複製の指示を与える。携帯端末が無線スピーカ１２に複製の指示を与えると、無線スピーカ１２は、ＩＣタグ５２からＩＣタグ５２に記憶された情報を読み出す。無線スピーカ１２は、ＩＣタグ５２から読み出した情報をＩＣタグ７１に書き込む。また、取得情報と非取得情報とが取得された場合、無線スピーカ１２は、自動でＩＣタグ５２に記憶された情報の複製を行ってもよい。詳細に説明すると、ＣＰＵ２１が取得情報及び非取得情報を取得する。ＣＰＵ２１は、取得情報が取得されたＩＣタグ５２に記憶された情報を読み出す。ＣＰＵ２１は、非取得情報が取得されたＩＣタグ７１に、ＩＣタグ５２から読み出した情報をＩＣタグ７１に書き込む。これにより、新たに複製されたＩＣタグ７１をＩＣタグ５２と同様に使用することができる。なお、この実施形態において、ＩＣタグ７１は本発明の第二の媒体に相当する。
【００４０】
また、図６（Ｂ）は、無線スピーカ１２にＩＣタグ５２が貼り付けられている場合であって、ここに第二の媒体として、すでにチャンネル情報を記憶しているＩＣタグ５５を貼り付ける場合を示している。ＩＣタグ５２は右フロント（ＦＲ）のチャンネル情報を、ＩＣタグ５５は左フロント（ＦＬ）のチャンネル情報をそれぞれ記憶している。ユーザは左フロント（ＦＬ）のチャンネル情報を保持するＩＣタグ５５を無線スピーカ１２に貼り付けることにより、ＩＣタグ５２の保持するチャンネル情報を複製することができる。詳細に説明すると、ユーザは不図示の携帯端末等の無線で通信できる機器を用いて、無線スピーカ１２にチャンネル情報の複製の指示を与える。携帯端末が無線スピーカ１２に複製の指示を与えると、無線スピーカ１２は、ＩＣタグ５２からＩＣタグ５２に記憶された情報を読み出す。無線スピーカ１２は、ＩＣタグ５２から読み出した情報をＩＣタグ５５に上書きする。これにより、不要なチャンネル情報を記憶するＩＣタグであっても、チャンネル情報を上書きして使用することができる。
【００４１】
なお、本実施形態において、各ＩＣタグにはそれぞれ貼り付けられる音響機器の配置に対応したチャンネル情報が予めまたは複製によって記憶されているが、ユーザは、後から異なったチャンネル情報に書き換えることができる。ＡＶレシーバ３のメモリは、各ＩＣタグのチャンネル情報と各音響機器（無線スピーカ１１、無線スピーカ１２、無線スピーカ１３、無線スピーカ１４、及び無線スピーカ１５）に割り当てられるコンテンツのチャンネル情報を記憶している。例えば、図４に示すように、無線スピーカ１１にはＩＣタグ５１が貼り付けられ、センタ（Ｃ）のチャンネルが割り当てられている。同様に無線スピーカ１２〜無線スピーカ１５にもそれぞれＩＣタグが貼り付けられ、チャンネルが割り当てられている。ユーザは、受信部３４２に新たなチャンネルの割り当て情報を入力する。例えば、ユーザは、無線スピーカ１１に右フロント（ＦＲ）の、無線スピーカ１２に右サラウンド（ＳＲ）の、無線スピーカ１３に左サラウンド（ＳＬ）の、無線スピーカ１４に左フロント（ＦＬ）の、及び無線スピーカ１５にセンタ（Ｃ）のチャンネルの割り当て情報を入力する。ＣＰＵ３１の割当部３６は、新たなチャンネルの割り当て情報に基づき、各音響機器に対するチャンネルを割り当て直す。これにより、ＡＶレシーバ３のメモリは、割り当て直された情報を記憶する。これにより、無線スピーカ１５側が正面となる使用形態に変更することができる。使用する状態に変更が生じた場合、ユーザは、ＡＶレシーバ３のメモリに記憶された情報を書き換えることにより対応する事ができる。
【００４２】
なお、本実施形態において、ＡＶレシーバ３は無線ネットワークを介して、複数の無線スピーカ１１、無線スピーカ１２、無線スピーカ１３、無線スピーカ１４、及び無線スピーカ１５と接続されているが、有線で接続されていてもよい。図７（Ａ）、図７（Ｂ）、及び図７（Ｃ）は、ＡＶレシーバ３と、スピーカ１１１及びスピーカ１１２とを有線で接続する場合を説明するための図である。スピーカ１１１及びスピーカ１１２は有線スピーカであり、ＡＶレシーバ３とケーブル等によって接続されている。スピーカ１１１にはＩＣタグ５１が、スピーカ１１２にはＩＣタグ５２がそれぞれ貼り付けられている。通常、有線で接続される場合においてＡＶレシーバ３の出力端子のチャンネルは決まっているが、本実施形態は出力端子のチャンネルを後から変更できるようにしている。
【００４３】
例えば、図７（Ａ）に示すように、ＡＶレシーバ３にスピーカ１１１及びスピーカ１１２が接続されている場合、ＡＶレシーバ３の出力端子８１及び８２は、それぞれ接続されているスピーカ１１１及びスピーカ１１２に対応する。出力端子８１は、スピーカ１１１がＩＣタグ５１から読み出したセンタ（Ｃ）のチャンネル情報に対応する。出力端子８２は、スピーカ１１２がＩＣタグ５２から読み出した右フロント（ＦＲ）のチャンネルに対応する。
【００４４】
ここで、図７（Ｂ）に示すように、スピーカ１１２からＩＣタグ５２が剥がされた場合、出力端子８２は、いずれのチャンネルにも対応しない状態となる。図７（Ｃ）に示すように、左フロント（ＦＬ）のチャンネル情報を記憶したＩＣタグ５５をＩＣタグ５２の代わりにスピーカ１１２に貼り付ける。スピーカ１１２はＩＣタグ５５からチャンネル情報を読み出す。ＡＶレシーバ３は、ＩＣタグ５５から読み出したチャンネル情報を基に出力端子８２を左フロント（ＦＬ）のチャンネルに対応させる。このように、ＡＶレシーバ３の出力端子をフリーアサインとすることができる。
【００４５】
なお、本実施形態において、ＩＣタグは音響機器に貼り付けられるものが用いられているが、ＩＣタグの代わりに、電源から電力を供給する不図示の電源ケーブルに媒体を埋め込んで情報を記憶させていてもよい。例えば、予め、所定のチャンネル用の電源ケーブルを用意しておく。電源ケーブルに埋め込まれた媒体は、センタ（Ｃ）等のチャンネル情報を記憶している。媒体とスピーカとの情報の伝達は有線または無線のいずれによっても実現される。有線の場合は、電源ケーブルの内に通信線を配線する。スピーカに電源ケーブルが接続されることにより、スピーカは通信線を介して媒体に記憶されたチャンネル情報を読み出すことができる。有線により情報が伝達される場合は、物理的に直接接続されているため、その他の電磁波などによる影響を低減することができる。無線の場合は、スピーカに電源ケーブルが接続されることにより、スピーカと媒体とが近接する。スピーカの近接通信部は、媒体に記憶されたチャンネル情報を読み出すことができる。いずれの場合も、ユーザがスピーカに電源ケーブルを接続することにより、スピーカはチャンネル情報を読み出すことができるため、ＩＣタグを貼り付ける手間を省くことができる。また、ユーザは電源ケーブルを変更することにより、容易にチャンネルを変更することができる。
【００４６】
図８は、複数のＩＣタグをスピーカに貼り付ける場合を説明するための図である。上記実施形態においては、各スピーカにＩＣタグを一枚貼り付けたが、スピーカに複数のＩＣタグを貼り付けてもよい。図８に示すように、無線スピーカ１３には、右サラウンド（ＳＲ）のチャンネル情報を記憶したＩＣタグ５３及び左サラウンド（ＳＬ）のチャンネル情報を記憶したＩＣタグ５４が貼り付けられている。ＡＶレシーバ３は無線スピーカ１３に右サラウンド（ＳＲ）及び左サラウンド（ＳＬ）に対応するチャンネルを配信する。これにより、無線スピーカ１３はコンテンツの内、右サラウンド（ＳＲ）及び左サラウンド（ＳＬ）のチャンネルに係る音を出力することができる。
【００４７】
図９は、他の一実施形態に係る音響システム２０の構成を説明するための概念図である。図９に示すように、音響システム２０は、音響機器としてレシーバ８５を備える。レシーバ８５にはスピーカ１８が接続されている。レシーバ８５にはサラウンドバック（ＳＢ）のチャンネル情報を記憶したＩＣタグ５６が貼り付けられている。レシーバ８５は、ＩＣタグ５６からサラウンドバック（ＳＢ）のチャンネル情報を読み出す。
【００４８】
ユーザがレシーバ８５を他のＡＶレシーバ３と無線で接続すると、レシーバ８５とＡＶレシーバ３とは双方に通信可能となる。これにより、ＡＶレシーバ３はレシーバ８５に同一のコンテンツに含まれたチャンネルを配信することができる。すなわち、ＡＶレシーバ３は、レシーバ８５にサラウンドバック（ＳＢ）のチャンネルを割り当てることができる。
【００４９】
なお、レシーバ８５は、単独で使用することもできる。単独で使用する場合、例えば、ユーザはレシーバ８５からＩＣタグ５６を外す。レシーバ８５は、ＡＶレシーバ３からのコンテンツの配信が停止されるため、ＡＶレシーバ３と別のコンテンツを再生することが可能である。
【００５０】
図１０は、音響システム１０の動作を示すフローチャートである。音響システム１０の動作により本発明のチャンネル配信方法が実現される。
【００５１】
予め、音響システム１０においては、ユーザにより再生したいコンテンツが選択される。すなわち、ユーザはＢＤプレーヤ１にコンテンツの選択の指示を与える。ＢＤプレーヤ１は、ユーザが選択したコンテンツをＡＶレシーバ３に出力する。
【００５２】
図１０に示すように、各音響機器の読出部は、ＩＣタグ５１〜ＩＣタグ５５に記憶されたチャンネル情報をＩＣタグ５１〜ＩＣタグ５５から取得する（ｓ１１）。チャンネル情報の取得がトリガーとなり、音響システム１０の動作が開始する。取得部２３は、無線スピーカ１１〜無線スピーカ１５の各個体識別情報を取得する（ｓ１２）。無線スピーカ１１〜無線スピーカ１５の送信部２４１等は、ＩＣタグ５１〜ＩＣタグ５５から読み出したチャンネル情報と、取得した個体識別情報とを、ＡＶレシーバ３に送信する（ｓ１３）。
【００５３】
ＡＶレシーバ３は、無線スピーカ１１〜無線スピーカ１５が送信した情報を受信する（ｓ２１）。ＡＶレシーバ３の割当部３６は、チャンネル情報を取得しているか否かを判断する。すなわち、割当部３６はチャンネル情報を取得した状態を示す取得情報またはチャンネル情報を取得していない状態を示す非取得情報のいずれかを受信することにより、チャンネル指定の有無を判断する（ｓ２２）。
【００５４】
チャンネル指定がある場合（ｓ２２：ＹＥＳ）、割当部３６は、受信したチャンネル情報及び個体識別情報に基づいて、無線スピーカ１１〜無線スピーカ１５に対するチャンネルを割り当てる（ｓ２３）。ＡＶレシーバ３は、割り当てられたチャンネル信号を無線スピーカ１１〜無線スピーカ１５に送信する（ｓ２４）。
【００５５】
無線スピーカ１１〜無線スピーカ１５は、割当部３６が割り当てたチャンネルの信号をそれぞれ受信する（ｓ１４）。したがって、音響システム１０は、複数の無線スピーカ１１〜無線スピーカ１５及び複数のチャンネルを有する場合であっても、コンテンツに含まれたチャンネルを、特定の音響機器に容易に割り当てることができる。無線スピーカ１１〜無線スピーカ１５は、それぞれが受信したチャンネルの信号に対応するコンテンツに係る音を再生し（ｓ１５）、音響システム１０の動作が終了する。
【００５６】
チャンネル指定がない場合（ｓ２２：ＮＯ）、ＡＶレシーバ３はユーザに警告を発報する（ｓ２５）。ＡＶレシーバ３のＣＰＵ３１は、割当部３６をチャンネルの割り当てから解除する（ｓ２６）。ＡＶレシーバ３は、無線スピーカ１１〜無線スピーカ１５に割り当てるチャンネル信号の送信を停止する（ｓ２７）。これにより、音響システム１０の動作が終了する。
【符号の説明】
【００５７】
３…ＡＶレシーバ（コンテンツ出力装置）
１０…音響システム
１１，１２，１３，１４，１５…音響機器
２２…近接通信部（読出部）
２３…取得部
２８…スピーカ
３６…割当部
５１，５２，５３，５４，５５…ＩＣタグ（媒体）
２４１…送信部
２４２…受信部
【図１】
2018173190.tif 000003
【図２】
2018173190.tif 000004
【図３】
2018173190.tif 000005
【図４】
2018173190.tif 000006
【図５】
2018173190.tif 000007
【図６】
2018173190.tif 000008
【図７】
2018173190.tif 000009
【図８】
2018173190.tif 000010
【図９】
2018173190.tif 000011
【図１０】
2018173190.tif 000012
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
チャンネル情報を記憶する媒体から前記チャンネル情報を読み出す読出部と、
自装置の個体識別情報を取得する取得部と、
前記媒体から読み出した前記チャンネル情報と、前記個体識別情報とを、複数のチャンネルを含むコンテンツを出力するコンテンツ出力装置に送信する送信部と、
前記コンテンツのうち少なくとも一つのチャンネルを受信する受信部と、
を備える音響機器。
【請求項２】
前記コンテンツに係る音を出力するスピーカを備え、
前記受信部は無線通信を介して前記コンテンツを受信する請求項１に記載の音響機器。
【請求項３】
前記送信部は、前記チャンネル情報を取得している状態を示す取得情報、または前記チャンネル情報を取得していない状態を示す非取得情報を前記コンテンツ出力装置に送信する請求項１または２に記載の音響機器。
【請求項４】
前記媒体に記憶された前記チャンネル情報を第二の媒体に複製する請求項１から３のいずれかに記載の音響機器。
【請求項５】
請求項１から４のいずれかに記載の音響機器と、
前記コンテンツ出力装置と、
を備え、
前記コンテンツ出力装置は、前記チャンネル情報及び前記個体識別情報に基づいて、前記音響機器に対するチャンネルを割り当てる割当部を有する、
音響システム。
【請求項６】
前記媒体は、前記音響機器に対して着脱可能であり、
前記割当部は、前記音響機器に対する前記媒体からの通信状態によって、該システムを同一のコンテンツを配信するグループに含めるか否かを判断する請求項５に記載の音響システム。
【請求項７】
前記割当部は、同時に複数の前記チャンネルを一つの前記音響機器に割り当てる請求項５または６に記載の音響システム。
【請求項８】
チャンネル情報を記憶する媒体から前記チャンネル情報を読み出し、
音響機器の個体識別情報を取得し、
前記媒体から読み出した前記チャンネル情報と、前記個体識別情報とを、複数のチャンネルを含むコンテンツを出力するコンテンツ出力装置に送信し、
前記チャンネル情報及び前記個体識別情報に基づいて、前記音響機器に対するチャンネルを割り当て、
前記コンテンツのうち少なくとも一つのチャンネルを受信するチャンネル配信方法。
【請求項９】
無線通信を介して前記コンテンツを受信し、
スピーカから前記コンテンツに係る音を出力する請求項８に記載のチャンネル配信方法。
【請求項１０】
前記チャンネル情報を取得している状態を示す取得情報、または前記チャンネル情報を取得していない状態を示す非取得情報を前記コンテンツ出力装置に送信する請求項８または９に記載のチャンネル配信方法。
【請求項１１】
前記媒体に記憶された前記チャンネル情報を第二の媒体に複製する請求項８から１０のいずれかに記載のチャンネル配信方法。
【国際調査報告】
2018173190.tif 000013
2018173190.tif 000014
2018173190.tif 000015
2018173190.tif 000016